(57)【要約】【課題】オプション基板にあるＤＰＲＡＭを介して、本体基板とオプション基板との間でデータ伝送を行う装置においては、オプション接続やオプション情報確認の信頼性が低い。【解決手段】オプション基板２に無線タグ３を設けると共に、タグリーダー４を本体基板１に設け、本体基板１の中央処理装置１０が、タグリーダー４に無線により前記無線タグ３のタグ情報を読み込ませることで、オプション情報の確認を行う構成とし、中央処理装置１０は、オプション接続の確認シーケンスにおいて、「ＤＰＲＡＭの内容」及び／又は「接続確認用ポートの状態」の確認と、前記「無線タグ内のオプション情報」の確認と、を両方行う。【選択図】図３
2005115617.tif 000002
【特許請求の範囲】
【請求項１】
本体基板と、少なくとも一つのオプション基板とを有し、オプション基板にあるＤＰＲＡＭを介して、本体基板とオプション基板との間でデータ伝送を行う通信端末装置であって、
オプション基板に無線タグを設けると共に、タグリーダーを本体基板に設け、
本体基板の中央処理装置が、タグリーダーに無線により前記無線タグのタグ情報を読み込ませることで、オプション情報の確認を行う、
ことを特徴とする通信端末装置。
【請求項２】
本体基板の中央処理装置は、
オプション接続の確認シーケンスにおいて、
ＤＰＲＡＭの内容及び／又は接続確認用ポートの状態の確認と、前記無線タグ内のオプション情報の確認と、を両方行う、
ことを特徴とする請求項１に記載の通信端末装置。
【請求項３】
本体基板の中央処理装置は、
前記無線タグ内のオプション情報の確認で、オプション基板の存在を検知したにも拘わらず、ＤＰＲＡＭの内容及び／又は接続確認用ポートの状態の確認で非接続を検知した場合には、接続ミス又はオプション基板の故障であると判断する、
ことを特徴とする請求項２に記載の通信端末装置。
【請求項４】
本体基板の中央処理装置は、
ＤＰＲＡＭの内容及び／又は接続確認用ポートの状態の確認で接続を検知したにも拘わらず、無線タグ内のオプション情報の確認で、設定のオプション基板と合致するタグ情報を検知できない場合には、設定以外のオプション基板が接続されていると判断する、
ことを特徴とする請求項２又は請求項３に記載の通信端末装置。
【発明の詳細な説明】
【技術分野】
【０００１】
本発明は、オプション基板にあるＤＰＲＡＭを介して、本体基板とオプション基板との間でデータ伝送を行う通信端末装置に関する。
【背景技術】
【０００２】
従来より、ファクシミリ機能やコピー機能を備えた複合機（通信端末装置）では、本体基板とオプション基板との接続形態として、オプション側にＤＰＲＡＭ（デュアルポートＲＡＭ）を有するディジーチェーン方式が知られている。このような接続形態を利用した技術の一例としては、例えば、特許文献１に開示される技術が有る。
このような接続形態において、本体基板とオプション基板との接続状態やオプション情報の確認は、オプション接続の確認シーケンスにおいて、ＤＰＲＡＭを介する本体基板とオプション基板とのデータ伝送方式を利用することによって、行われる。
【０００３】
【特許文献１】特開平９−３２６８１３号公報
【発明の開示】
【発明が解決しようとする課題】
【０００４】
前記接続形態の通信端末装置はシリアル接続であり、途中でオプション基板の故障や、接続不良等により断線があると、本体基板と、断線箇所の先にあるオプション基板との連絡が絶たれてしまう。つまり、従来の構成の通信端末装置においては、断線の有無検出は可能であるが、断線が検出された場合に、それが単なる接続不良によるのか、それともオプション基板の故障によるのか、あるいは設定通りのオプション基板が接続されてないのか、等の状態の判別が困難であった。
設定のオプション基板と設定以外のオプション基板との相違は、製造元や型式、シリアル番号等のオプション情報の検出により、本体基板の中央処理装置により認識される。通信端末装置によっては、オプション情報の確認のため、該オプション情報を各オプション基板のＤＰＲＡＭより読み出すこともある。
【０００５】
つまり、解決しようとする問題点は、オプション基板にあるＤＰＲＡＭを介して、本体基板とオプション基板との間でデータ伝送を行う通信端末装置においては、オプション接続やオプション情報確認の信頼性が低い点である。
【課題を解決するための手段】
【０００６】
本発明の解決しようとする課題は以上の如くであり、次にこの課題を解決するための手段を説明する。
【０００７】
即ち、請求項１においては、
本体基板と、少なくとも一つのオプション基板とを有し、オプション基板にあるＤＰＲＡＭを介して、本体基板とオプション基板との間でデータ伝送を行う装置であって、
オプション基板に無線タグを設けると共に、タグリーダーを本体基板に設け、
本体基板の中央処理装置が、タグリーダーに無線により前記無線タグのタグ情報を読み込ませることで、オプション情報の確認を行うものである。
【０００８】
請求項２においては、
オプション接続の確認シーケンスにおいて、
ＤＰＲＡＭの内容及び／又は接続確認用ポートの状態の確認と、前記無線タグ内のオプション情報の確認と、を両方行うものである。
【０００９】
請求項３においては、
本体基板の中央処理装置は、
前記無線タグ内のオプション情報の確認で、オプション基板の存在を検知したにも拘わらず、ＤＰＲＡＭの内容及び／又は接続確認用ポートの状態の確認で非接続を検知した場合には、接続ミス又はオプション基板の故障であると判断するものである。
【００１０】
請求項４においては、
本体基板の中央処理装置は、
ＤＰＲＡＭの内容及び／又は接続確認用ポートの状態の確認で接続を検知したにも拘わらず、無線タグ内のオプション情報の確認で、設定のオプション基板と合致するタグ情報を検知できない場合には、設定以外のオプション基板が接続されていると判断するものである。
【発明の効果】
【００１１】
本発明の効果として、以下に示すような効果を奏する。
【００１２】
請求項１においては、オプション接続やオプション情報の確認の信頼性が向上する。
【００１３】
請求項２においては、オプション接続やオプション情報の確認の信頼性が向上する。
【００１４】
請求項３においては、ユーザが、通信端末装置に発生したオプション接続に関わる不具合を、容易に検知することができる。
【００１５】
請求項４においては、ユーザが、通信端末装置に発生したオプション接続に関わる不具合を、容易に検知することができる。
【発明を実施するための最良の形態】
【００１６】
図１を用いて、本発明の一実施の形態である通信端末装置１００について説明する。
通信端末装置１００は、マスターユニットである本体基板１に、スレーブユニットであるオプション基板２・２・・・が、ディジーチェーン方式により接続されて構成される。
ここで、通信端末装置１００が適用される装置は、例えば、ファクシミリ機能とコピー機能とを有する複合機であり、本体基板１に、各種のオプション基板を接続して、ファクシミリ機能やコピー機能の全体を発揮可能とする。
【００１７】
本体基板１は、少なくとも、中央処理装置（ＣＰＵ）１０とメモリ１１とを備え、これらはバスラインＢｏにより接続されている。また、このバスラインＢｏには、オプション基板２を接続することができる。
各オプション基板２は、少なくとも、中央処理装置（ＣＰＵ）２０とＤＰＲＡＭ（デュアルポートＲＡＭ）２１とを備え、これらもバスラインＢｏにより接続されている。また、このバスラインＢｏには、オプション基板２を接続することができる。  
つまり、オプション基板２にオプション基板２を接続することで、一つの本体基板１に複数のオプション基板２が接続される。
【００１８】
ディジーチェーン方式で接続される本体基板１および各オプション基板２は、本体基板１より各オプション基板２が直列に接続されるものである。そこで、以下においては、本体基板１および各オプション基板２の位置関係を、本体基板１側を前段側とし、末端のオプション基板２側を後段側とする。
各オプション基板２において、前段に接続される基板とは、より本体基板１に近い側に接続されているオプション基板２のことであり、本体基板１に直接接続されているオプション基板２の前段の基板は、本体基板１そのものを意味する。また、各オプション基板２において、後段に接続される基板とは、より本体基板１より遠い側に接続されているオプション基板２のことを意味する。
【００１９】
各ＤＰＲＡＭ２１には、内側ポート２１ａおよび外側ポート２１ｂの二つのポートが設けられている。
内側ポート２１ａは、そのＤＰＲＡＭ２１自体が実装されるオプション基板２の中央処理装置２０への接続口となるポートである。また、外側ポート２１ｂは、前段の基板の中央処理装置２０（または中央処理装置１０）への接続口となるポートである。
そして、各ＤＰＲＡＭ２１に、自らのオプション基板２と、前段の基板とから、アクセスが可能である。
【００２０】
本体基板１とオプション基板２とのデータ転送は、複数段のオプション基板２を挟んで行われる場合には、その転送経路上の各オプション基板２上のＤＰＲＡＭ２１を介して行われる。
つまり、各オプション基板２が、一方のオプション基板２から転送されるデータをＤＰＲＡＭ２１に書き込み、他方のオプション基板２が、その書き込まれたデータを読み出すことにより、データが順次隣のオプション基板２に転送されて、目的とする本体基板１またはオプション基板２へ転送される。
【００２１】
ここで、図２を用いて、ＤＰＲＡＭ２１を経由して行われる基板間のデータ転送について説明する。
図２では、２段目のオプション基板２のＤＰＲＡＭ２１内のデータが、本体基板１で読取られるように、ＤＰＲＡＭ２１を経由するデータ転送が行われる場合のフローを示すものである。
まず、１段目のオプション基板２には、データの送信元である２段目のオプション基板２より、データの「転送要求」の割込みが発生する（ステップ１０１）。
この割込み信号を検出した１段目のオプション基板２の中央処理装置２０は、２段目のオプション基板２のＤＰＲＡＭ２１の内容を読み出す（ステップ１０２）。また、該中央処理装置２０は、自らが読み出した内容を、自らのＤＰＲＡＭ２１（１段目のオプション基板２のＤＰＲＡＭ２１）に、書き込む（ステップ１０３）。
次に、本体基板１には、データの中継体である１段目のオプション基板２より、「ＤＰＲＡＭ２１の読み出し要求」の割り込みが発生する（ステップ１０４）。
この割込み信号を検出した本体基板１の中央処理装置１０は、１段目のオプション基板２のＤＰＲＡＭ２１の内容を読み出す（ステップ１０５）。
以上のようにして、２段目のオプション基板２のＤＰＲＡＭ２１内のデータが、本体基板１の中央処理装置１０で読取られる。
【００２２】
図２のフローは、２段目のオプション基板２のデータを、本体基板１の中央処理装置１０で読取る場合を示すものであるが、Ｎ段目（Ｎは自然数）のオプション基板２のデータを、中央処理装置１０で読取る場合も、同様にして行われる。
図２のフローにおけるステップ１０１からステップ１０４までの処理を、隣接するオプション基板２・２間で行うことで、順次データが前段側のオプション基板２のＤＰＲＡＭ２１へと転送される。つまり、まずはＮ段目のオプション基板２からＮ−１段目のオプション基板２のＤＰＲＡＭ２１へデータが転送され、次いでＮ−１段目のオプション基板２からＮ−２段目のオプション基板２のＤＰＲＡＭ２１へデータが転送される。そして、このようなデータ転送が繰り返されることで、１段目のオプション基板２のＤＰＲＡＭ２１に、Ｎ段目のオプション基板２のＤＰＲＡＭ２１内のデータが転送される。
【００２３】
基板間でのデータ転送を利用したデータ読取りは、以上で説明したオプション基板２のデータを本体基板１（またはオプション基板２）に読取らせる場合だけでなく、本体基板１のデータをオプション基板２に読取らせる場合でも同様である。
つまり、転送先の基板より、読取元の隣の基板のＤＰＲＡＭ２１に向けて、データ転送が行われて、読取元の基板の中央処理装置により、その隣のＤＰＲＡＭ２１の内容が読取られる。
【００２４】
また、読取元や転送元となる基板は、本体基板１に限定されるものではなく、オプション基板２の場合もある。読取元となる基板がオプション基板２の場合においても同様であり、読取元のオプション基板２の中央処理装置２０が、隣接するオプション基板２内のＤＰＲＡＭ２１内に転送されたデータを読み出すものである。転送元となる基板が本体基板１の場合も同様であり、ＤＰＲＡＭ２１ではなく、メモリ１１よりデータが転送されるだけのことである。
【００２５】
通信端末装置１００には、オプション接続の確認シーケンスが設けられており、該確認シーケンスにおいて、本体基板１と各オプション基板２との接続状態の確認や、オプション情報の確認が行われる。
ここで、オプション情報とは、オプション基板２の識別情報等のことを意味し、本体基板１側で適切なオプション基板２が接続されているか否かを判別するための判断材料として機能する。
この確認シーケンスは、本体基板１のメモリ１１に記憶されるプログラムに基づいて、中央処理装置１０が作動することにより、実行される。
【００２６】
オプション接続の確認シーケンスにおいては、中央処理装置１０において、次の三つの確認が行われる。
第一の確認は「ＤＰＲＡＭの内容」の確認であり、第二の確認は「接続確認用ポートの状態」の確認である。第一および第二の確認は、前述した、基板間のデータ転送に関わる機能を利用して行われるものであり、有線による確認である。
また、第三の確認は「無線タグ内のオプション情報」の確認である。この第三の確認については、詳しくは後述するが、オプション基板２に設ける無線タグ３と、本体基板１に設けるタグリーダー４とを利用して、行われるものである。この確認は、無線による確認である。
【００２７】
「ＤＰＲＡＭの内容」の確認（第一の確認）について説明する。
前記「ＤＰＲＡＭの内容」には、各オプション基板２のオプション情報が含まれている。該オプション情報は、具体的には、製造元や型式、シリアル番号等の、各オプション基板２の特定に関わる情報である。
そして、各オプション基板２より、それぞれの「ＤＰＲＡＭの内容」を、本体基板１に向けて送信させることで、中央処理装置１０が、本体基板１に接続されている各オプション基板２のオプション情報を確認することが可能である。
【００２８】
第一の確認においては、中央処理装置１０は、まず、後段側に向けて、各オプション基板２に「ＤＰＲＡＭの内容」を転送するように、転送指令を送信する。ここで、「ＤＰＲＡＭの内容」には、オプション基板２のオプション情報が含まれているものとする。
また、この転送指令も、前記のデータ転送と同様にして行われるものであり、後段のＤＰＲＡＭ２１に転送指令が書き込まれると、その同じ段階のオプション基板２の中央処理装置２０が、自らの後段のＤＰＲＡＭ２１に転送指令を書き込む。そして順次、本体基板１より発せられた転送指令が、各オプション基板２へと転送される。
【００２９】
転送指令を受けた各オプション基板２の中央処理装置２０は、前段のＤＰＲＡＭ２１に、自らの「ＤＰＲＡＭの内容」を書き込む。「ＤＰＲＡＭの内容」を書き込まれた前段のオプション基板２は、その内容を、さらに前段のＤＰＲＡＭ２１に書き込む。このようにして、順次、あるオプション基板２の「ＤＰＲＡＭの内容」が、前段側へと転送されて、１段目のＤＰＲＡＭ２１にまで転送される。１段目のＤＰＲＡＭ２１に書き込まれた「ＤＰＲＡＭの内容」は、本体基板１の中央処理装置１０により確認される。
【００３０】
以上のようなデータ転送処理が、各オプション基板２毎に行われて、すべてのオプション基板２の「ＤＰＲＡＭの内容」が、本体基板１の中央処理装置１０により確認される。
【００３１】
「接続確認用ポートの状態」の確認（第二の確認）について説明する。
通信端末装置１００のように、シリアル接続される電子機器においては、接続の有無を確認するために、接続先ポートの有無を確認するための接続確認信号が発信される。
この接続確認信号も、前述したデータ転送の方式を利用して、本体基板１より各オプション基板２へと送信される。
【００３２】
最後段を除く各オプション基板２において、外側ポート２１ｂに接続されるバスラインＢｏは前段基板の内側ポート２１ａに通じており、内側ポート２１ａに接続されるバスラインＢｏは後段基板の外側ポート２１ｂに通じている。
最後段のオプション基板２においては、その後段のオプション基板２が存在しないため、内側ポート２１ａに接続される後段の外側ポート２１ｂが存在しない。ここで、最後段の内側ポート２１ａに繋がるバスラインＢｏの末端には、ターミネータが設けられる。
【００３３】
前記接続確認信号を受信した各中央処理装置２０は、自らのオプション基板２の外側ポート２１ｂと繋がる内側ポート２１ａの有無を検出して、その検出結果を、前記データ伝送方式を利用して、本体基板１へと送信する。
つまり、各オプション基板２において、自らの後段の内側ポート２１ａが、接続確認用ポートである。そして、各中央処理装置２０により、接続確認用ポートを検出できた状態が、自らと後段のオプション基板２との接続が確認できた状態であり、前記検出ができなかった状態が、自らと後段のオプション基板２との接続が確認できなかった状態（非接続を確認した状態）である。
【００３４】
そして、接続確認が各オプション基板２毎に行われて、すべてのオプション基板２の「接続確認用ポートの状態」が、本体基板１の中央処理装置１０に確認される。
【００３５】
次に、無線タグ３とタグリーダー４とによる「無線タグ内のオプション情報」の確認（第三の確認）について説明する。
オプション基板２には、データ発信器としての無線タグ３が設けられている。無線タグ３には、ＩＣチップ（電子回路）とアンテナとが備えられている。そして、外部から電波を受けると、電磁誘導現象によりアンテナに起電力が発生して内部の電子回路が作動し、該アンテナよりデータ送信可能となる。
一方、本体基板１には、無線タグ３からデータを読取る装置として、タグリーダー４が設けられている。タグリーダー４には電波の発信器が設けられており、電波を発生させて無線タグ３を作動させて、無線タグ３に記憶されているデータを受信可能である。
以上のように、無線タグ３とタグリーダー４とは、無線により、相互の間でデータ交換が可能である。
【００３６】
無線タグ３には、各オプション基板２のオプション情報が、データとして記憶されている。
無線タグ３とタグリーダー４との間の交信で、制御データの交換が行われた後、オプション情報が無線タグ３よりタグリーダー４に向けて送信される。
【００３７】
本体基板１において、タグリーダー４はバスラインＢｏに接続されており、中央処理装置１０とタグリーダー４とが接続されている。そして、タグリーダー４で読取った各オプション基板２のオプション情報を、中央処理装置１０において、確認可能である。
なお、各オプション基板２において、無線タグ３はその基板の一部に貼り付けられているだけであり、バスラインＢｏとは遮断されて非接続の状態にある。
【００３８】
次に、図３を用いて、オプション接続の確認シーケンスを、順に説明する。
まず、中央処理装置１０は、「各無線タグ３の情報の読取り」処理を実行する（ステップ２０１）。この処理は、「無線タグ内のオプション情報」の確認を、各オプション基板２に設けた無線タグ３と、本体基板１のバスラインＢｏに接続されるタグリーダー４との通信を利用して行う処理であり、無線による情報確認である。
次いで、中央処理装置１０は、「ＤＰＲＡＭ経由の情報の読取り」処理を実行する（ステップ２０２）。この処理は、「接続確認用ポートの状態」の確認と、「ＤＰＲＡＭの内容」の確認とを、ディジーチェーン方式で接続される各基板間のデータ伝送を利用して行う処理であり、各バスラインＢｏを経由した有線による情報確認である。
【００３９】
なお、本実施の形態では、ステップ２０２の処理で、「接続確認用ポートの状態」と「ＤＰＲＡＭの内容」とが、両方とも行われる構成としているが、どちらか一方のみが、オプション接続の確認シーケンスで行われるものとしてもよい。
【００４０】
中央処理装置１０は、ステップ２０１・１０２における確認結果に基づいて、オプション接続の状態、つまり本体基板１と各オプション基板２との接続状態を判定する。この判定に関わる処理が、ステップ２０３以降の処理であり、各オプション基板２毎に行われるものである。
ステップ２０３においては、中央処理装置１０は、「ＤＰＲＡＭ経由の情報の読取り」（有線での確認）に基づいて、つまりステップ２０１での確認結果に基づいて、各オプション基板２と本体基板１との接続を確認したか否かを、判定する。
中央処理装置１０が、基板１・２間の接続を検知した場合は、ステップ２０４の処理が実行される。また、中央処理装置１０が、基板１・２間の非接続を検知した場合は、ステップ２０５の処理が実行される。
【００４１】
ステップ２０４においては、中央処理装置１０は、「各無線タグ３の情報の読取り」（無線での確認）に基づいて、つまりステップ２０２での確認結果に基づいて、設定のオプション基板と合致するタグ情報を検知できたか否かを、判定する。
中央処理装置１０が、設定のオプション基板と合致するタグ情報を検知できた場合は、中央処理装置１０は、基板１・２間の接続が「正常」であると判断する（ステップ２０６）。また、中央処理装置１０が、設定のオプション基板と合致するタグ情報を検知できない場合は、中央処理装置１０は、基板１・２間の接続が「設定以外のオプション接続」であると判断する（ステップ２０７）。
【００４２】
ステップ２０５においてもステップ２０４と同様に、中央処理装置１０は、「各無線タグ３の情報の読取り」（無線での確認）に基づいて、つまりステップ２０２での確認結果に基づいて、設定のオプション基板と合致するタグ情報を検知できたか否かを、判定する。
中央処理装置１０が、設定のオプション基板と合致するタグ情報を検知できた場合は、中央処理装置１０は、確認対象のオプション基板２が故障している（「オプション故障」）もしくは「接続ミス」であると判断する（ステップ２０８）。また、中央処理装置１０が、設定のオプション基板と合致するタグ情報を検知できない場合は、中央処理装置１０は、確認対象のオプション基板２が存在しない（「オプションなし」）と判断する。
【００４３】
以上のようにして、オプション接続の確認シーケンスにおいて、中央処理装置１０は、本体基板１と各オプション基板２との接続状態が、前記の四状態、つまり、「正常」、「設定以外のオプション接続」、「オプション故障」、「オプションなし」のいずれかであると、判断する。
【００４４】
通信端末装置１００において、オプション情報確認に関わる特徴的な点について、まとめる。
まず、通信端末装置１００は、本体基板１と、少なくとも一つのオプション基板２とを有し、オプション基板２にあるＤＰＲＡＭ２１を介して、本体基板１とオプション基板２との間でデータ伝送を行う装置である。
また、通信端末装置１００には、オプション基板２に無線タグが設けられると共に、タグリーダー４が本体基板１に設けられている。
そして、本体基板１の中央処理装置１０が、タグリーダー４に無線により前記無線タグ３のタグ情報を読み込ませることで、オプション情報の確認を行う。
【００４５】
このため、データ伝送機能を用いて、バスラインＢｏを利用した有線によるオプション接続の確認やオプション情報の確認に加えて、無線による確認も可能となる。
したがって、オプション接続やオプション情報の確認の信頼性が向上する。
【００４６】
以上の構成において、本体基板１の中央処理装置１０は、オプション接続の確認シーケンスにおいて、データ伝送機能を利用した有線による確認と、無線タグ３を利用した無線による確認とを、両方行う。
有線による確認は、各オプション基板２のＤＰＲＡＭ２１の内容と、接続確認用ポート（外側ポート２１ｂ）の状態の少なくとも一方を確認するものである。また、無線による確認は、「無線タグ内のオプション情報」の確認を行うものである。
【００４７】
このため、有線および無線による確認が同時に行われて、中央処理装置１０が、両方の確認による検知結果を総合して、オプション接続やオプション情報の確認を行うことができる。
したがって、オプション接続やオプション情報の確認の信頼性が向上する。
【００４８】
特に、本体基板１の中央処理装置１０は、無線タグ３内のオプション情報の確認により、オプション基板２の存在を検知したにも関わらず、「ＤＰＲＡＭの内容」および「接続確認用ポートの状態」の確認の少なくとも一方で、非接続を検知した場合、接続ミス又はオプション基板の故障であると判断する。
図３において、中央処理装置１０の処理が、ステップ２０３からステップ２０５を経てステップ２０８に至る部分の内容である。
【００４９】
このため、中央処理装置１０において、オプション接続に関わる不良状態が的確に認識される。
したがって、ユーザが、通信端末装置１００に発生したオプション接続に関わる不具合を、容易に検知することができる。
【００５０】
また、本体基板１の中央処理装置１０は、「ＤＰＲＡＭの内容」および「接続確認用ポートの状態」の少なくとも一方の確認により、基板間の接続を検知したにも関わらず、「無線タグ内のオプション情報」の確認で、設定のオプション基板と合致するタグ情報を検知できない場合、設定以外のオプション接続が行われていると判断する。
図３において、中央処理装置１０の処理が、ステップ２０３からステップ２０４を経てステップ２０７に至る部分の内容である。
【００５１】
このため、中央処理装置１０において、オプション接続に関わる不良状態が的確に認識される。
したがって、ユーザが、通信端末装置１００に発生したオプション接続に関わる不具合を、容易に検知することができる。
【図面の簡単な説明】
【００５２】
【図１】通信端末装置１００の構成を示すブロック図である。
【図２】ＤＰＲＡＭ経由の確認フローを示すフロー図である。
【図３】オプション接続の確認シーケンスを示すフロー図である。
【符号の説明】
【００５３】
１    本体基板
２    オプション基板
３    無線タグ
４    タグリーダー
１０    中央処理装置
２０    中央処理装置
２１    ＤＰＲＡＭ
２１ａ    内側ポート
２１ｂ    外側ポート
１００    通信端末装置
Ｂｏ    バスライン
【図１】
2005115617.tif 000003
【図２】
2005115617.tif 000004
【図３】
2005115617.tif 000005